【手続補正書】
【提出日】平成31年1月15日(2019.1.15)
【手続補正１】
【補正対象書類名】明細書
【補正対象項目名】０２２３
【補正方法】変更
【補正の内容】
【０２２３】
【表１】
2018505320.tif 000001
【手続補正２】
【補正対象書類名】特許請求の範囲
【補正対象項目名】全文
【補正方法】変更
【補正の内容】
【特許請求の範囲】
【請求項１】
１回の洗濯サイクル当たり２０リットル未満を使用して洗濯機中で布地を処理して、少なくとも１つの布地保護特性を布地に与える方法であって、
（１）少なくとも１種の界面活性剤を含む洗剤組成物で布地を洗浄する工程と、
（２）界面活性剤を含有する添加剤を本質的に添加しない濯ぎサイクル中において、布地を濯ぐ工程と、
（３）第１の処理液中で布地に第１の布地処理組成物を付着させる工程であって、第１の布地処理組成物が、
ａ）布地に何ら大きな色の変化を引き起こすことも、変色をもたらすこともない、第１の量の疎水性作用剤であって、融点又はガラス転移温度が１００℃未満であることを特徴とする、第１の量の疎水性作用剤、
ｂ）第１の量のフルオロポリマー、及び
ｃ）第１の有効量のゼータ電位調整剤であって、第１の処理液が、正かつゼロミリボルト超のゼータ電位を有するようにする、第１の有効量のゼータ電位調整剤
を含む、工程と、
（４）周囲温度より高いが１００℃未満である乾燥温度で布地を硬化させる工程
とを含み、
ｉ）布地保護特性が、撥水性増大、撥油性増大、汚れ及びしみ落とし増強、改善された手触り感、改善された柔らかさ、改善された損傷耐性、並びにこれらの任意の組み合わせからなる群から選択され、
ｉｉ）疎水性作用剤がフルオロポリマーではなく、
ｉｉｉ）ゼータ電位調整剤が、カチオン性物質又はカチオン修飾物質を含み、
ｉｖ）疎水性作用剤とゼータ電位調整剤の比率が少なくとも１：３である、
方法。
【請求項２】
前記工程（４）において、７０℃未満の乾燥温度で布地を硬化させる、請求項１に記載の方法。
【請求項３】
洗濯機が、その製造業者により高性能（ＨＥ）洗濯機として表示されている、請求項１に記載の方法。
【請求項４】
洗濯機中で布地を処理し、少なくとも１つの布地保護特性を布地に付与する方法であって、請求項１の工程（３）及び工程（４）を複数回繰り返すことを含む、方法。
【請求項５】
工程（３）を少なくとも１回繰り返す、請求項１に記載の方法。
【請求項６】
（５）第２の処理液中で布地に第２の布地処理組成物を付着させる工程であって、第２の布地処理組成物が、
ｄ）布地に何ら大きな色の変化を引き起こすことも、変色をもたらすこともない、第２の量の疎水性作用剤であって、融点又はガラス転移温度が１００℃未満であることを特徴とする、第２の量の疎水性作用剤、
ｅ）第２の量のフルオロポリマー、及び
ｆ）第２の有効量のゼータ電位調整剤であって、第２の処理液が、正かつゼロミリボルト超のゼータ電位を有するようにする、第２の有効量のゼータ電位調整剤
を含む、工程を更に含み、
ｉ）第１の布地処理組成物が、第２の布地処理組成物と同じであっても、異なっていてもよく、
ｉｉ）第２の量の疎水性作用剤、フルオロポリマー、及びゼータ電位調整剤がそれぞれ、第１の量の疎水性作用剤、フルオロポリマー及びゼータ電位調整剤とそれぞれ独立に同等であるか又は同等でない、
請求項１に記載の方法。
【請求項７】
工程（４）の前に工程（５）を少なくとも１回繰り返す、請求項６に記載の方法。
【請求項８】
（６）周囲温度より高いが１００℃未満である乾燥温度で布地を硬化させる工程を更に含む、請求項６に記載の方法。
【請求項９】
前記工程（６）において７０℃未満の乾燥温度で布地を硬化させる、請求項８に記載の方法。
【請求項１０】
工程（５）及びその任意の繰り返し並びに工程（６）が、工程（３）及びその任意の繰り返し並びに工程（４）の完了の後に行われる、請求項８または９に記載の方法。
【請求項１１】
第１の布地処理組成物が、
ａ）０．５〜６０重量％の疎水性作用剤と、
ｂ）０．５〜６０重量％のフルオロポリマーと、
ｃ）０．１〜３０重量％のゼータ電位調整剤
とを含む、請求項１に記載の方法。
【請求項１２】
第２の布地処理組成物が、
ａ）０．５〜６０重量％の疎水性作用剤と、
ｂ）０．５〜６０重量％のフルオロポリマーと、
ｃ）０．１〜３０重量％のゼータ電位調整剤
とを含む、請求項６に記載の方法。
【請求項１３】
第１の布地処理組成物が、
ａ）０．５〜６０重量％の疎水性作用剤と、
ｂ）０．５〜６０重量％のフルオロポリマーと、
ｃ）０．１〜３０重量％のゼータ電位調整剤
とを含み、
第２の布地処理組成物が、
ｄ）０．１〜３０重量％の疎水性作用剤と、
ｅ）０．１〜３０重量％のフルオロポリマーと、
ｆ）０．１〜３０重量％のゼータ電位調整剤
とを含む、請求項１０に記載の方法。
【請求項１４】
疎水性作用剤が、疎水性ワックス、エチレン性不飽和モノマーから生成されるポリマー、低分子量ポリエチレン、低密度ポリエチレン、ポリプロピレン、酸化ポリエチレン、酸化ポリプロピレン、ポリオレフィン、ポリウレタン、エチルビニルアセテート、ポリ塩化ビニル、コポリマー、及び乳化性ワックスからなる群から選択される、請求項１に記載の方法。
【請求項１５】
疎水性作用剤が、疎水性ワックス、エチレン性不飽和モノマーから生成されるポリマー、低分子量ポリエチレン、低密度ポリエチレン、ポリプロピレン、酸化ポリエチレン、酸化ポリプロピレン、ポリオレフィン、ポリウレタン、エチルビニルアセテート、ポリ塩化ビニル、コポリマー、及び乳化性ワックスからなる群から選択される、請求項６に記載の方法。
【請求項１６】
カチオン性物質が、モノ及びジメチル脂肪族アミン、アルキルトリメチルアンモニウム塩、ジアルキルジメチルアンモニウム塩、アルキルアミンアセテート、トリアルキルアンモニウムアセテート、アルキルジメチルベンジルアンモニウム塩、ジアルキルメチルベンジルアンモニウム塩、アルキルピリジニウムハロゲン化物及びアルキル（アルキル置換）ピリジニウム塩、アルキルチオメチルピリジニウム塩、アルキルアミドメチルピリジニウム塩、アルキルキノリニウム塩、アルキルイソキノリニウム塩、Ｎ，Ｎ−アルキルメチルピロリジニウム塩、１，１−ジアルキルピペリジニウム塩、４，４−ジアルキルチオモルホリニウム塩、４，４−ジアルキルチオモルホリニウム−１−オキシド塩、メチルビス（アルキルエチル）−２−アルキルイミダゾリニウムメチルスルフェート及びその他の塩、メチルビス（アルキルアミドエチル）−２−ヒドロキシエチルアンモニウムメチルスルフェート及びその他の塩、アルキルアミドプロピルジメチルベンジルアンモニウム塩、カルボキシアルキル−アルキルジメチルアンモニウム塩、アルキルアミンオキシド、アルキルジメチルアミンオキシド、ポリ（ビニルメチルピリジニウム）塩、ポリ（ビニルピリジン）塩、ポリエチレンイミン、トリアルキルホスホニウム重炭酸塩及びその他の塩、トリアルキルメチルホスホニウム塩、アルキルエチルメチルスルホニウム塩、並びにアルキルジメチルスルホキソニウム塩からなる群から選択されるカチオン性界面活性剤である、請求項１に記載の方法。
【請求項１７】
カチオン修飾物質が、カチオン修飾有機ポリマー、カチオン修飾バイオポリマー、カチオン修飾粘土、カチオン修飾シリカ、カチオン修飾ナノ粒子、及びこれらの混合物からなる群から選択される、請求項１に記載の方法。
【請求項１８】
カチオン性物質が、モノ及びジメチル脂肪族アミン、アルキルトリメチルアンモニウム塩、ジアルキルジメチルアンモニウム塩、アルキルアミンアセテート、トリアルキルアンモニウムアセテート、アルキルジメチルベンジルアンモニウム塩、ジアルキルメチルベンジルアンモニウム塩、アルキルピリジニウムハロゲン化物、及びアルキル（アルキル置換）ピリジニウム塩、アルキルチオメチルピリジニウム塩、アルキルアミドメチルピリジニウム塩、アルキルキノリニウム塩、アルキルイソキノリニウム塩、Ｎ，Ｎ−アルキルメチルピロリジニウム塩、１，１−ジアルキルピペリジニウム塩、４，４−ジアルキルチオモルホリニウム塩、４，４−ジアルキルチオモルホリニウム−１−オキシド塩、メチルビス（アルキルエチル）−２−アルキルイミダゾリニウムメチルスルフェート及びその他の塩、メチルビス（アルキルアミドエチル）−２−ヒドロキシエチルアンモニウムメチルスルフェート及びその他の塩、アルキルアミドプロピルジメチルベンジルアンモニウム塩、カルボキシアルキル−アルキルジメチルアンモニウム塩、アルキルアミンオキシド、アルキルジメチルアミンオキシド、ポリ（ビニルメチルピリジニウム）塩、ポリ（ビニルピリジン）塩、ポリエチレンイミン、トリアルキルホスホニウム重炭酸塩及びその他の塩、トリアルキルメチルホスホニウム塩、アルキルエチルメチルスルホニウム塩、並びにアルキルジメチルスルホキソニウム塩からなる群から選択されるカチオン性界面活性剤である、請求項６に記載の方法。
【請求項１９】
カチオン修飾物質が、カチオン修飾有機ポリマー、カチオン修飾バイオポリマー、カチオン修飾粘土、カチオン修飾シリカ、カチオン修飾ナノ粒子、及びこれらの混合物からなる群から選択される、請求項６に記載の方法。
【請求項２０】
第１の布地処理組成物が、低分子量有機溶媒を含む水性液体担体を２０〜８０重量％更に含む、請求項１に記載の方法。
【請求項２１】
第２の布地処理組成物が、低分子量有機溶媒を含む水性液体担体を２０〜８０重量％更に含む、請求項６に記載の方法。
【請求項２２】
疎水性作用剤が、４５℃から１００℃の間の融点又はガラス転移温度を有する、請求項１に記載の方法。
【請求項２３】
布地保護特性が、非永続的な布地保護特性である、請求項１に記載の方法。